(57)【要約】【課題】  振動板に沿って引き出したボイスコイルのリード線に断線が生じることを防ぎ、前面に突出した振動板が押し潰されて損傷するのを防ぐ。【解決手段】  スピーカ１は、ボイスコイル１１のリード線１１Ａを振動板１０に固着して振動板１０に沿って引き出し、振動板１０を支持するフレーム１３の底面１３Ａを振動板１０の背面に対面して配備し、底面１３Ａ上に振動板１０の背面に向けて突出する突起部１３Ｂを形成している。【選択図】図１
2006165945.tif 000002
【特許請求の範囲】
【請求項１】
振動板にボイスコイルボビンを装着して、このボイスコイルボビンに巻かれたボイスコイルを磁気回路の磁気ギャップ内に配置し、このボイスコイルに音声信号を入力することで生成される前記ボイスコイルボビンの振動を前記振動板に伝えて音を発生させるスピーカであって、
前記ボイスコイルのリード線を前記振動板に固着して該振動板に沿って引き出し、
前記振動板を支持するフレームの底面を前記振動板の背面に対面して配備し、
前記底面上に前記振動板の背面に向けて突出する突起部を形成したことを特徴とするスピーカ。
【請求項２】
前記振動板は、前面側に凸状の曲面を有することを特徴とする請求項１に記載されたスピーカ。
【請求項３】
前記リード線は、前記振動板の前面側に配備されるイコライザの支持足に沿って配置されることを特徴とする請求項１又は２に記載されたスピーカ。
【発明の詳細な説明】
【技術分野】
【０００１】
本発明は、スピーカに関するものである。
【背景技術】
【０００２】
スピーカは、振動板の形態によって、円錐状の振動板を備えたコーン形、音の放出方向に凸又は凹状の振動板を備えたドーム形等がある。コーン形スピーカは、全帯域用をはじめとして低音，中音，高音専用スピーカ等、広く一般に普及しており、ドーム形スピーカは、特に、小口径で振幅値の比較的小さい高域再生用のものとして一般に普及している。
【０００３】
また、コーン形或いはドーム形スピーカにおいても振動板の形態は各種のものがあり、コーン形スピーカにおいては、特に音の放射方向に凸状の曲面を有する振動板（カーブドコーン）がフラットな面を有するもの（フラットコーン）と比較して再生帯域を広くできることが知られており（下記非特許文献１参照）、ドーム形スピーカでは、中央に音の放射方向に凸状の部分が形成され、その周囲の環状部分にも音の放射方向に凸状の部分を形成したダイヤフラムと呼ばれる振動板を採用して、中央の凸部とその周囲の凸部の境にボイスコイルボビンの上端を装着したもの等がある（下記特許文献１参照）。
【０００４】
このようなスピーカは、振動板にボイスコイルボビンを装着して、このボイスコイルボビンに巻かれたボイスコイルを磁気回路の磁気ギャップ内に配置し、ボイスコイルに音声信号を入力することで生成されるボイスコイルボビンの振動を振動板に伝えて音を発生させるものであるが、ボイスコイルに音声信号を入力するために、ボイスコイルのリード線を振動板に固着して、これを振動板に沿わせてスピーカフレームのターミナル端子或いはこのターミナル端子に接続された錦糸線の接続端まで引き出すことが一般になされている（下記特許文献１参照）。
【０００５】
【非特許文献１】佐伯多門監修「新版スピーカー＆エンクロージャー百科」誠文堂新光社出版，２００１年４月１０日，ｐ．３２〜３３
【特許文献１】特開２００３−１５３３８２号公報
【発明の開示】
【発明が解決しようとする課題】
【０００６】
前述したように、ボイスコイルのリード線を振動板に固着して、これを振動板に沿わせてスピーカフレームのターミナル端子或いはこのターミナル端子に接続された錦糸線の接続端まで引き出すようにしたスピーカにおいては、特に、前述したように音の放射方向に向けて凸状の曲面を有する振動板を備えたものでは、振動板の表面に人手が触れるなどして凸状の振動板が潰されてしまった時に曲面が大きく変形するので、これによってリード線が断線する虞があるという問題があった。
【０００７】
また、このように前面に突出した振動板を備えたスピーカを展示した場合に、突出しているものを押し込みたくなるという人間心理が働いて、振動板が人手によって潰されることがしばしばあり、振動板が損傷して展示品の商品価値が無くなってしまうという問題があった。
【０００８】
本発明は、このような問題に対処することを課題の一例とするものである。すなわち、振動板に沿って引き出したボイスコイルのリード線に断線が生じるのを防ぐこと、前面に突出した振動板が押し潰されて損傷するのを防ぐこと等が本発明の目的である。
【課題を解決するための手段】
【０００９】
このような目的を達成するために、本発明によるスピーカは、以下の各独立請求項に係る構成を少なくとも具備するものである。
【００１０】
［請求項１］振動板にボイスコイルボビンを装着して、このボイスコイルボビンに巻かれたボイスコイルを磁気回路の磁気ギャップ内に配置し、このボイスコイルに音声信号を入力することで生成される前記ボイスコイルボビンの振動を前記振動板に伝えて音を発生させるスピーカであって、前記ボイスコイルのリード線を前記振動板に固着して該振動板に沿って引き出し、前記振動板を支持するフレームの底面を前記振動板の背面に対面して配備し、前記底面上に前記振動板の背面に向けて突出する突起部を形成したことを特徴とするスピーカ。
【発明を実施するための最良の形態】
【００１１】
以下、本発明の実施形態を図面を参照して説明する。以下の実施形態では、ドーム形スピーカを例にして説明するが、本発明は特にこれに限定されるものではなく、コーン形等、他の形態の振動板を備えたスピーカにも同様に採用できるものである。
【００１２】
図１は本発明の一実施形態に係るスピーカの断面図である。スピーカ１は振動板（ダイヤフラム）１０を備える。この振動板１０は、前面側に凸状の曲面を有するものであり、ここでは、中央にドーム状の凸状部１０Ａを有し、その周囲に環状の凸状部１０Ｂを有するドーム形の振動板を例示する。
【００１３】
そして、このスピーカ１は、振動板１０にボイスコイル１１が巻き回されたボイスコイルボビン１２が装着されており、マグネット２１，上部プレート２２，ヨーク２３によって構成される磁気回路の磁気ギャップ２０内にボイスコイル１１が配置され、このボイスコイル１１に音声信号を入力することで生成されるボイスコイルボビン１２の振動を振動板１０に伝えることで音を発生させるものである。
【００１４】
また、振動板１０は、中央の凸状部１０Ａとその周囲の凸状部１０Ｂの境にボイスコイルボビン１２の上端を装着して、凸状部１０Ｂの外縁に形成された被支持部１０Ｃが樹脂等で形成されたフレーム１３の支持部に支持されている。
【００１５】
このようなスピーカ１においては、ボイスコイル１１に音声信号を入力するためのリード線１１Ａが振動板１０の背面に固着され、振動板１０に沿ってフレーム１３の外或いはフレームに取り付けられたターミナル端子又はターミナル端子に接続された錦糸線の接続端まで引き出されているが、本発明の実施形態に係るスピーカ１においては、振動板１０の被支持部１０Ｃを支持するフレーム１３の底面を振動板１０の背面に対面して配備し、この底面１３Ａ上に振動板１０の背面に向けて突出する突起部１３Ｂを形成している。この突起部１３Ｂは、フレーム１３を樹脂成形する場合には、簡単に一体成形することが可能である。
【００１６】
このスピーカ１によると、音が放出される前面側に突出した凸状の曲面を有する振動板１０に対して、前面側から凸状の曲面が人手によって押し込まれることがあっても、その変形量が突起部１３Ｂの先端で規制されるので大きく変形することがない。これによって、振動板１０に沿って引き出されているリード線１１Ａが振動板の変形で断線するのを防ぐことができると共に、振動板１０が押し潰されて損傷するのを防止することができる。
【００１７】
図２は、スピーカ１の前面に配備される化粧板の構成例を示す平面図である。この化粧板３０は、振動板１０の中央部前面にイコライザ３１を配備するものであり、このイコライザ３１の支持足３１Ａが振動板１０の外縁に沿って形成された化粧板３０の開口縁３０Ａまで延びることで、イコライザ３１が化粧板３０に支持されている。
【００１８】
そして、本発明の実施形態に係るスピーカ１は、このような化粧板３０を配備するものにおいては、ボイスコイル１１のリード線１１Ａをイコライザ３１の支持足３１Ａに沿って配置している。これによると、この支持足３１Ａによって、リード線１１Ａが配置されている真上から振動板１０を押厚することができなくなるのでリード線１１Ａを保護することができ、振動板１０の変形によるリード線１１Ａの断線を更に防止することが可能になる。
【００１９】
すなわち、本発明の実施形態に係るスピーカ１の特徴をまとめると、一つには、振動板１０にボイスコイルボビン１２を装着して、このボイスコイルボビン１２に巻かれたボイスコイル１１を磁気回路の磁気ギャップ２０内に配置し、このボイスコイル１１に音声信号を入力することで生成されるボイスコイルボビン１２の振動を振動板１０に伝えて音を発生させるスピーカ１であって、ボイスコイル１１のリード線１１Ａを振動板１０に固着してこの振動板１０に沿って引き出し、振動板１０を支持するフレーム１３の底面１３Ａを振動板１０の背面に対面して配備し、底面上１３Ａに振動板１０の背面に向けて突出する突起部１３Ｂを形成したことを特徴としている。
【００２０】
また一つには、このスピーカ１において、振動板１０は、前面側に凸状の曲面を有することを特徴としている。
【００２１】
さらには、前述の特徴を有するスピーカ１において、リード線１１Ａは、振動板１０の前面側に配備されるイコライザ３１の支持足３１Ａに沿って配置されることを特徴としている。
【００２２】
そして、本発明の実施形態に係るスピーカ１は、このような特徴を有することで、振動板１０に沿って引き出したボイスコイル１１のリード線１１Ａに断線が生じることを防ぐことができ、また、前面に突出した振動板１０が押し潰されて損傷するのを防ぐことができる。
【図面の簡単な説明】
【００２３】
【図１】本発明の一実施形態に係るスピーカの断面図である。
【図２】スピーカの前面に配備される化粧板の構成例を示す平面図である。
【符号の説明】
【００２４】
１    スピーカ
１０    振動板
１０Ａ，１０Ｂ    凸状部
１０Ｃ    被支持部
１１    ボイスコイル
１２    ボイスコイルボビン
１３    フレーム
１３Ａ    底面
１３Ｂ    突起部
２０    磁気ギャップ
２１    マグネット
２２    上部プレート
２３    ヨーク
３０    化粧板
３０Ａ    開口縁
３１    イコライザ
３１Ａ    支持足
【図１】
2006165945.tif 000003
【図２】
2006165945.tif 000004